(57)【要約】【課題】来訪者の音声の聞き取りを向上させることができるインターホン装置、インターホンシステム、情報端末、処理方法及びプログラムを提供する。【解決手段】インターホン装置としてのロビーインターホン１０は、筐体と、筐体に設けられた収音部１４と、収音部１４に入力された音に対する出力を制御する制御部１６とを備える。制御部１６は、筐体が設置された状態において、第１方向からの入力音に対する第１出力音に対して第１方向とは異なる第２方向からの入力音に対する第２出力音を抑制して出力する抑制モードを有する。【選択図】図１
2019186649.tif 000002
【特許請求の範囲】
【請求項１】
筐体と、
前記筐体に設けられた収音部と、
前記収音部に入力された音に対する出力を制御する制御部とを備え、
前記制御部は、前記筐体が設置された状態において、第１方向からの入力音に対する第１出力音に対して前記第１方向とは異なる第２方向からの入力音に対する第２出力音を抑制して出力する抑制モードを有する、
インターホン装置。
【請求項２】
前記第１方向は、前記筐体が設置された状態における前記筐体の正面方向であり、
前記第２方向は、前記正面方向に対して右側方向及び左側方向のうち少なくとも一方である、
請求項１に記載のインターホン装置。
【請求項３】
撮像部を、さらに備え、
前記制御部は、
前記撮像部が撮像した画像に基づいて、前記第１方向及び前記第２方向のうち少なくとも一方を設定する、
請求項１に記載のインターホン装置。
【請求項４】
前記抑制モードの実行の有無を設定する設定部を、さらに備える、
請求項１〜３のいずれか一項に記載のインターホン装置。
【請求項５】
前記設定部は、
情報端末から受け取った入力情報を基に、前記抑制モードの実行の有無を設定する、
請求項４に記載のインターホン装置。
【請求項６】
前記制御部は、
前記第１方向及び前記第２方向のうち少なくとも一方に係る方向情報を受け取ると、前記方向情報を基に、対応する方向を設定する、
請求項１〜５のいずれか一項に記載のインターホン装置。
【請求項７】
前記制御部は、
前記第２方向からの前記入力音に対する前記第２出力音の抑制の割合に係る割合情報を受け取ると、前記割合情報を基に、前記第２方向からの前記入力音に対する前記第２出力音の抑制の割合を設定する、
請求項１〜６のいずれか一項に記載のインターホン装置。
【請求項８】
前記収音部は、複数のマイクロホンを有しており、
前記制御部は、前記抑制モードが設定されている場合には、前記複数のマイクロホンで集音した音を基に、前記第２方向からの前記入力音に対する前記第２出力音を抑制する、
請求項１〜７のいずれか一項に記載のインターホン装置。
【請求項９】
前記制御部は、前記第２方向からの前記入力音に対する前記第２出力音を抑制する抑制部を有しており、
前記制御部は、
前記抑制モードが設定されている場合には、前記収音部が収音した音を、前記抑制部を介して出力音として出力し、
前記抑制モードと異なるモードが設定されている場合には、前記収音部が収音した音を、前記抑制部を介すことなく出力音として出力する、
請求項１〜８のいずれか一項に記載のインターホン装置。
【請求項１０】
前記抑制モードの設定の有無を情報端末に送信する通信部を、さらに備える、
請求項１〜９のいずれか一項に記載のインターホン装置。
【請求項１１】
請求項１〜１０のいずれか一項に記載のインターホン装置と、
前記インターホン装置と通信する情報端末とを備える、
インターホンシステム。
【請求項１２】
請求項１〜１０のいずれか一項に記載のインターホン装置と通信を行う情報端末であって、
前記抑制モードの実行の有無を設定するための設定情報を送信する通信部を有する、
情報端末。
【請求項１３】
前記通信部は、
前記インターホン装置において前記抑制モードが設定されている場合に、前記設定情報を送信するように構成されている、
請求項１２に記載の情報端末。
【請求項１４】
請求項１〜１０のいずれか一項に記載のインターホン装置と通信を行う情報端末で用いられる処理方法であって、
前記抑制モードの実行の有無を設定するための設定情報を送信する通信ステップを含む、
処理方法。
【請求項１５】
請求項１〜１０のいずれか一項に記載のインターホン装置と通信を行う情報端末で用いられるプログラムであって、コンピュータに、
前記抑制モードの実行の有無を設定するための設定情報を送信する通信処理を実行させるためのプログラム。
【発明の詳細な説明】
【技術分野】
【０００１】
本開示は、一般にインターホン装置、インターホンシステム、情報端末、処理方法及びプログラムに関し、より詳細には通信を行うインターホン装置、インターホンシステム、情報端末、処理方法及びプログラムに関する。
【背景技術】
【０００２】
従来、カメラ等の撮像手段を備えるインターホン子機と、呼出時に撮像手段で撮像された画像（静止画像、動画像）を表示するインターホン親機とを備えるインターホンシステムが知られている（例えば、特許文献１参照）。
【０００３】
特許文献１のインターホンシステムを用いることで、住人（居住者）は、来訪者が誰であるかの認識が可能となる。
【先行技術文献】
【特許文献】
【０００４】
【特許文献１】特開２０１５−１１１９３５号公報
【発明の概要】
【発明が解決しようとする課題】
【０００５】
住居者が来訪者を認識した後、通話を開始した場合、道路騒音等により来訪者の音声が聞き取れない可能性がある。
【０００６】
本開示は上記課題に鑑みてなされ、来訪者の音声の聞き取りを向上させることができるインターホン装置、インターホンシステム、情報端末、処理方法及びプログラムを提供することを目的とする。
【課題を解決するための手段】
【０００７】
本開示の一態様に係るインターホン装置は、筐体と、前記筐体に設けられた収音部と、前記収音部に入力された音に対する出力を制御する制御部とを備える。前記制御部は、前記筐体が設置された状態において、第１方向からの入力音に対する第１出力音に対して前記第１方向とは異なる第２方向からの入力音に対する第２出力音を抑制して出力する抑制モードを有する。
【０００８】
本開示の一態様に係るインターホンシステムは、前記インターホン装置と、前記インターホン装置と通信する情報端末とを備える。
【０００９】
本開示の一態様に係る情報端末は、前記インターホン装置と通信を行う。前記情報端末は、前記抑制モードの実行の有無を設定するための設定情報を送信する通信部を有する。
【００１０】
本開示の一態様に係る処理方法は、前記インターホン装置と通信を行う情報端末で用いられる。前記処理方法は、前記抑制モードの実行の有無を設定するための設定情報を送信する通信ステップを含む。
【００１１】
本開示の一態様に係るプログラムは、前記インターホン装置と通信を行う情報端末で用いられる。前記プログラムは、コンピュータに、前記抑制モードの実行の有無を設定するための設定情報を送信する通信処理を実行させる。
【発明の効果】
【００１２】
本開示によると、来訪者の音声の聞き取りを向上させることができる。
【図面の簡単な説明】
【００１３】
【図１】図１は、一実施形態に係るインターホンシステムの構成を説明するブロック図である。
【図２】図２Ａは、同上のインターホンシステムのロビーインターホンにおいて抑制モードが設定されている場合の処理経路を説明する図である。図２Ｂは、同上のロビーインターホンにおいて抑制モードが設定されていない場合の処理経路を説明する図である。
【図３】図３Ａは、同上のロビーインターホンの設置例を説明する図である。図３Ｂは、同上のロビーインターホンに対して第２方向の設定について説明する図である。
【図４】図４Ａは、同上のロビーインターホンにおいて抑制モードが設定されている場合においてインターホン親機が表示する画面の一例を説明する図である。図４Ｂは、同上のロビーインターホンにおいて抑制モードが設定されていない場合においてインターホン親機が表示する画面の一例を説明する図である。
【図５】図５は、同上のロビーインターホンの通話時における動作を説明する流れ図である。
【図６】図６は、同上のインターホンシステムのインターホン親機が指定モードを変更する場合における動作を説明するシーケンス図である。
【発明を実施するための形態】
【００１４】
以下に説明する実施形態及び変形例は、本開示の一例に過ぎず、本開示は、実施形態及び変形例に限定されない。この実施形態及び変形例以外であっても、本開示に係る技術的思想を逸脱しない範囲であれば、設計等に応じて種々の変更が可能である。
【００１５】
（実施形態）
以下、本実施形態に係るインターホンシステム１、インターホン装置としてのロビーインターホン１０及び情報端末としてのインターホン親機２０について、図１〜図６を用いて説明する。
【００１６】
（１）概要
本実施形態のインターホンシステム１は、図１に示すように、インターホン装置としてのロビーインターホン１０と、複数（図示例では２つ）のインターホン親機２０と、複数（図示例では２つ）のインターホン子機３０と、制御装置４０とを備えている。本実施形態では、インターホンシステム１が施設５としての集合住宅に用いられる場合を例として説明する。
【００１７】
ロビーインターホン１０は、例えば、集合住宅のロビーなどの共用部Ｅ１に設置される。集合住宅は、共用部Ｅ１の他、複数の専有部（住戸）Ｅ２を有している。インターホン親機２０は、専有部Ｅ２ごとに当該専有部Ｅ２内に設置される。インターホン子機３０は、例えば、専有部Ｅ２ごとに当該住戸の外玄関に設置される。
【００１８】
ロビーインターホン１０とインターホン親機２０とは、制御装置４０を介して互いに通信可能に構成されている。これにより、本実施形態に係るインターホンシステム１では、ロビーインターホン１０とインターホン親機２０との間で通話可能となる。さらに、インターホン親機２０とインターホン子機３０とは、互いに通信可能に構成されている。
【００１９】
ロビーインターホン１０は、来訪者が呼出操作を行うと、来訪者の撮像を開始する。ロビーインターホン１０は、呼出操作を受け付けると、専有部Ｅ２内の居住者を呼び出すための制御信号（呼出信号）をインターホン親機２０に制御装置４０を介して送信する。ロビーインターホン１０は、インターホン親機２０に対する操作によりインターホン親機２０との間で通話が可能になると、来訪者の音声を含む音のデータを制御装置４０を介してインターホン親機２０に送信する。ロビーインターホン１０は、インターホン親機２０の操作者の音のデータを制御装置４０を介して受け取ると、受け取ったデータに基づく音（操作者の音声を含む）を出力する。
【００２０】
ロビーインターホン１０は、抑制モード及び非抑制モードのいずれかが設定モードとして設定される。抑制モードは、予め指定された方向から入力された音（入力音）に対して出力音を抑制するモードである。非抑制モードは、予め指定された方向から入力された音（入力音）に対して出力音を抑制しないモードである。ロビーインターホン１０は、抑制モードが設定されている場合には、来訪者の音声を含む音データをインターホン親機２０に送信するときには、指定された方向からの入力音に対して出力音を抑制する。ロビーインターホン１０は、非抑制モードが設定されている場合には、音データをインターホン親機２０に送信するときには、指定された方向からの入力音に対する出力音の抑制は行わない。
【００２１】
インターホン親機２０が制御信号（呼出信号）をロビーインターホン１０から受信している状態（つまり、来訪者からロビーインターホン１０を介して呼出がある状態）で専有部Ｅ２内の住居者は、ロビーインターホン１０との通話又はロビーの扉５１の解錠の操作を行う。
【００２２】
制御装置４０は、ロビーインターホン１０から制御信号（呼出信号）を受け取ると、呼出があるインターホン親機２０に送信する。制御装置４０は、ロビーインターホン１０とインターホン親機２０との間で通話が可能な状態である場合には、来訪者の音声を含む音データ及び操作者の音声を含む音のデータを送受信する。さらに、制御装置４０は、インターホン親機２０の操作に応じて、例えば共用部Ｅ１に設けられた扉５１の施錠、解錠を行う。
【００２３】
インターホン子機３０は、来訪者から呼び出しのための操作を受け付けると、専有部Ｅ２内の居住者を呼び出すための制御信号（呼出信号）をインターホン親機２０に送信する。インターホン子機３０は、インターホン親機２０に対する操作によりインターホン親機２０との間で通話が可能になると、音のデータをインターホン親機２０に送信する。インターホン子機３０は、インターホン親機２０の操作者の音声を含む音のデータを受け取ると、受け取ったデータに基づく音（操作者の音声を含む）を出力する。
【００２４】
（２）構成
（２−１）ロビーインターホン
ロビーインターホン１０は、図１に示すように、撮像部１１、通信部１２、操作部１３、収音部１４、出力部１５及び制御部１６を備える。また、ロビーインターホン１０は、筐体１０Ａを備える（図３Ａ参照）。
【００２５】
ロビーインターホン１０は、例えばプロセッサ及びメモリを有するマイクロコンピュータを有している。そして、プロセッサがメモリに格納されているプログラムを実行することにより、マイクロコンピュータが制御部１６として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００２６】
撮像部１１は、ＣＣＤ（Charge Coupled Devices）イメージセンサ、又はＣＭＯＳ（Complementary Metal-Oxide Semiconductor）イメージセンサ等の二次元イメージセンサ等の撮像素子を有し、被写体（来訪者等）を撮影するためのカメラである。本実施形態では、少なくとも来訪者の顔を撮影できるように、撮像部１１の撮像エリア（視野）は、ロビーインターホン１０の前方に設定される。また、本実施形態では、撮像部１１は動画を撮影するカメラであるが、静止画を撮影するカメラであってもよい。さらに、本実施形態では、撮像部１１はカラー画像を撮影するカメラであるが、モノクローム画像を撮影するカメラであってもよい。
【００２７】
通信部１２は、制御装置４０を介してインターホン親機２０と通信を行うための通信インタフェースを含んでいる。通信部１２は、ロビーインターホン１０とインターホン親機２０との間で音データ及び制御信号が双方向に伝送可能となるように、インターホン親機２０との間で双方向に通信可能に構成されている。
【００２８】
操作部１３は、来訪者から呼び出しのための操作を受け付ける。操作部１３に対して所定の操作（例えば押操作）がされると、専有部Ｅ２（住戸）内の住居者を呼び出すための制御信号（呼出信号）を、通信部１２及び制御装置４０を介してインターホン親機２０に送信する。
【００２９】
収音部１４は、複数のマイクロホンを有している。複数のマイクロホンは無向性のマイクロホンである。本実施形態では、図２Ａ及び図２Ｂに示すように、２つのマイクロホン（第１マイクロホン１４１、第２マイクロホン１４２）を有している。第１マイクロホン１４１及び第２マイクロホン１４２は、操作部１３を操作した人（来訪者）の音声を含む周囲の音を収音し、収音した音を音データを表す音信号に変換して制御部１６に出力する。なお、本実施形態では、第２マイクロホン１４２は、抑制機能の実行を行う場合において音を収音する。
【００３０】
出力部１５は、例えばスピーカである。出力部１５は、ロビーインターホン１０がインターホン親機２０と通話可能な状態である場合には、インターホン親機２０から送信された音データに基づいた音（操作者の音声を含む）を出力する。
【００３１】
制御部１６は、図２Ａ、図２Ｂに示すように、設定部１６１、第１除去部１６２、切替部１６３、抑制部１６４、第２除去部１６５及び処理部１６６を有する。
【００３２】
制御部１６は、抑制モード及び非抑制モードを有しており、抑制モード及び非抑制モードのうちいずれかのモードが通話時の設定モードとして設定される。
【００３３】
設定部１６１は、抑制モード及び非抑制モードのいちいずれかを設定モードとして記憶部１７に設定する。
【００３４】
具体的には、ロビーインターホン１０が共用部Ｅ１に設置される場合に、設定部１６１は、設置作業の一環として抑制モード及び非抑制モードのいずれかが設定モードとして記憶部１７に設定する。設置時に抑制モードが設定モードして設定される場合、抑制の対象となる入力音が収音される方向を指定することが可能である。設定部１６１は、抑制の対象となる入力音が収音される方向に係る方向情報を受け取ると、方向情報が表す方向を設定する。本実施形態では、ロビーインターホン１０（筐体１０Ａ）が設置された状態における筐体１０Ａの正面方向（第１方向）Ｂ１に対して、右側方向Ｂ２及び左側方向Ｂ３のうち少なくとも一方が指定される。例えば、右側方向Ｂ２に共用部Ｅ１から専有部Ｅ２へと入る扉５１がある場合（図３Ａ参照）、左側方向Ｂ３に道路等が存在する。そのため、左側方向Ｂ３から道路騒音等が発生する。呼出時に道路騒音が発生していると住居者は訪問者の音声が聞き取りにくいことがある。そこで、ロビーインターホン１０の設置時に、設定部１６１は、作業者の操作によって抑制モードの設定、かつ抑制対象の方向として左側方向Ｂ３の指定を受け付ける。設定部１６１は、記憶部１７に、受け付けた抑制モード及び抑制対象の方向を設定（記憶）する。これにより、ロビーインターホン１０は、来訪者が所望の住居者を呼び出す際に位置する領域であって正面方向Ｂ１を含む領域Ｅ１０（図３Ｂ参照）から収音した音の出力音に対して、左側方向Ｂ３に対応する領域Ｅ１１（図３Ｂ参照）から収音した音に対する出力音を抑制するように設定することができる。以下の説明においては、抑制モードが設定モードとして設定される場合では、抑制の対象となる方向を左側方向Ｂ３が指定されているとする。
【００３５】
さらに、ロビーインターホン１０は、設定モードとして抑制モードが設定されている場合には、インターホン親機２０ごとに当該抑制モードを実行するか否か（実行の有無）を記憶部１７に記憶し管理する。設定部１６１は、専有部Ｅ２に設けられたインターホン親機２０から抑制モードの実行及び非実行のいずれかを指定する指定モードを受け付けると、インターホン親機２０が設けられた専有部Ｅ２の識別子と、指定モードとを対応付けて記憶部１７に記憶する。ここで、専有部Ｅ２の識別子は、例えば部屋番号である。
【００３６】
第１除去部１６２は、例えば複数のエコーキャンセラを含む。本実施形態では、第１除去部１６２は、第１エコーキャンセラ２０１と第２エコーキャンセラ２０２とを含む。第１エコーキャンセラ２０１は、第１マイクロホン１４１から出力された音信号に対してエコーの抑制又は除去を行う。第２エコーキャンセラ２０２は、第２マイクロホン１４２から出力された音信号に対してエコーの抑制又は除去を行う。第１除去部１６２は、エコー抑制又は除去された信号を切替部１６３に出力する。
【００３７】
切替部１６３は、収音部１４の接続先の切替を行う。具体的には、切替部１６３は、呼出対象の専有部Ｅ２に対応する指定モードが抑制モードを実行することを表している場合には、収音部１４の第１マイクロホン１４１及び第２マイクロホン１４２と抑制部１６４とを、第１除去部１６２を介して接続する。
【００３８】
切替部１６３は、呼出対象の専有部Ｅ２に対応する指定モードが抑制モードを実行しないことを表している場合には、第１マイクロホン１４１を第１除去部１６２の第１エコーキャンセラ２０１を介して第２除去部１６５に接続する。切替部１６３は、第２マイクロホン１４２を抑制部１６４及び第２除去部１６５の双方と非接続にする。具体的には、第２エコーキャンセラ２０２を抑制部１６４及び第２除去部１６５の双方と非接続にする。
【００３９】
抑制部１６４は、例えばビームフォーミング回路を含む。抑制部１６４は、呼出対象の専有部Ｅ２に対応する指定モードが抑制モードを実行することを表している場合には、抑制処理を行う。具体的には、抑制部１６４は、第１マイクロホン１４１が収音し、エコー抑制又は除去された信号（第１音信号）と第２マイクロホン１４２が収音し、エコー抑制又は除去された信号（第２音信号）とを用いて、正面方向Ｂ１から収音した音の出力音に対して、左側方向Ｂ３から収音した音に対する出力音を抑制する。例えば、抑制部１６４は、正面方向Ｂ１から収音した音の強度に対して、左側方向Ｂ３から収音した音の強度を弱める。抑制部１６４は、正面方向Ｂ１及び右側方向Ｂ２から収音した音と、左側方向Ｂ３から収音した音であって信号の強度が弱められた音とを含む音の音信号を第２除去部１６５に出力する。
【００４０】
第２除去部１６５は、例えばノイズサプレッサを含む。第２除去部１６５は、第１除去部１６２から受け取った音の信号に対してノイズの抑制又は除去を行う。
【００４１】
処理部１６６は、呼出に係る処理、及びインターホン親機２０との間で通話が可能な状態である場合には、当該通話に係る処理を行う。
【００４２】
処理部１６６は、インターホン親機２０との間で通話が可能な状態である場合には、第２除去部１６５でノイズの抑制又は除去された音の信号を、通信部１２を介してインターホン親機２０に送信する。処理部１６６は、インターホン親機２０との間で通話が可能な状態である場合には、インターホン親機２０から受け取った音の信号（インターホン親機の操作者の音声を含む音の信号）を出力部１５に出力する。
【００４３】
処理部１６６は、呼出時において、記憶部１７が記憶している設定モード（設置時に設定されたモード）として抑制モードが設定されているか否か（抑制モードの設定の有無）の設定情報を呼出対応のであるインターホン親機２０に通信部１２を介して送信する。
【００４４】
記憶部１７は、ＲＯＭ（Read Only Memory）、ＲＡＭ（Random Access Memory）、又はＥＥＰＲＯＭ（Electrically Erasable Programmable Read Only Memory）等から選択されるデバイスで構成される。
【００４５】
記憶部１７は、ロビーインターホン１０の設置時に設定された設定モードと、設定モードとして抑制モードが設定されている場合にインターホン親機２０（専有部Ｅ２）ごとに設定された指定モードとを記憶する設定テーブルを有している（表１参照）。
【００４６】
【表１】
2019186649.tif 000003
表１に示す設定テーブルは、設定モード項目と指定モード項目とを含む。設定モード項目は、ロビーインターホン１０の設置時に設定されるモードが格納される。設定モード項目には、“ＯＮ”又は“ＯＦＦ”が格納される。設定モードとして抑制モードが設定される場合には設定モード項目に“ＯＮ”が格納され、設定モードとして非抑制モードが設定される場合には設定モード項目に“ＯＦＦ”が格納される。指定モード項目には、専有部Ｅ２ごとに指定された指定モードが格納される。指定モードが抑制モードを実行する場合には指定モード項目には“ＯＮ”が格納され、抑制モードを実行しない場合には指定モード項目には“ＯＦＦ”が格納される。表１では、部屋番号が１０１である専有部Ｅ２では抑制モードは実行され、部屋番号が１０２である専有部Ｅ２では抑制モードは実行されないことを示している。なお、ロビーインターホン１０の設置時の設定モードとして抑制モードが設定されると、すべての専有部Ｅ２に対して初期状態として指定モード項目には“ＯＮ”が設定される。
【００４７】
（２−２）インターホン親機
インターホン親機２０は、図１に示すように、第１通信部２１と、第２通信部２２と、操作部２３と、表示部２４と、通話部２５と、制御部２６とを備えている。
【００４８】
インターホン親機２０は、例えばプロセッサ及びメモリを有するマイクロコンピュータを有している。そして、プロセッサがメモリに格納されているプログラムを実行することにより、マイクロコンピュータが制御部２６として機能する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００４９】
第１通信部２１は、制御装置４０と通信するための通信インタフェースである。第１通信部２１は、制御装置４０を介してロビーインターホン１０に接続されている。例えば、第１通信部２１は、ロビーインターホン１０から送信される画像を受信する。さらに、ロビーインターホン１０との間で音信号及び制御信号が双方向に伝送可能となるよう、第１通信部２１は、ロビーインターホン１０との間で双方向に通信可能に構成されている。
【００５０】
第２通信部２２は、インターホン子機３０と通信するための通信インタフェースである。第２通信部２２は、例えばツイストペア線等からなる２線式の伝送路を介して、インターホン子機３０と電気的に接続されている。
【００５１】
操作部２３は、専有部Ｅ２内の住居者の操作を受け付ける。第１通信部２１が住居者を呼び出すための制御信号（呼出信号）をロビーインターホン１０から受信している状態で、操作部２３に対して所定の操作がされると、インターホン親機２０とロビーインターホン１０との間で通話可能な状態となる。ここで、所定の操作は、例えば押操作である。第１通信部２１が呼出信号をロビーインターホン１０から受信している状態、又はロビーインターホン１０と通話可能な状態で、共用部に設けられた扉５１の解錠の操作がされると、解錠信号が制御装置４０に送信される。
【００５２】
さらに、第２通信部２２が住居者を呼び出すための制御信号（呼出信号）をインターホン子機３０から受信している状態で、操作部２３に対して所定の操作（例えば押操作）がされると、インターホン親機２０とインターホン子機３０との間で通話可能な状態となる。
【００５３】
表示部２４は、ロビーインターホン１０及びインターホン子機３０から送信される画像を表示する。本実施形態において、操作部２３の一部と、表示部２４とは、タッチパネルにより実現される。つまり、表示部２４は、撮像部１１が撮像した画像に加えて、操作部２３の一部であるボタン等を表示する。操作部２３は、表示部２４に表示されたボタンが押されることで、当該ボタンに応じた指示を受け付ける。
【００５４】
表示部２４は、ロビーインターホン１０に設定された設定モードに応じて、表示するボタンが異なる。表示部２４は、設定モードとして抑制モードが設定されている場合には、抑制モードの実行の有無を指示する２つのボタンＢ１０，Ｂ１１が表示される（図４Ａ参照）。ボタンＢ１０は、抑制モードの実行を指示する場合に押されるボタンである。ボタンＢ１１は、抑制モードの非実行を指示する場合に押されるボタンである。また、表示部２４は、現時点で設定されている指定モードに応じて、ボタンＢ１０とボタンＢ１１とを色分けして表示する。図４Ａでは、現時点で設定されている指定モードは抑制モードの実行を表していることを示す。表示部２４は、設定モードとして非抑制モードが設定されている場合には、抑制モードの実行の有無を指示する２つのボタンＢ１０，Ｂ１１は表示されない（図４Ｂ参照）。
【００５５】
これにより、住居者は、ロビーインターホン１０に対して設定モードとして抑制モードが設定されている場合に、抑制モードの実行の有無を個別に設定することができる。
【００５６】
通話部２５は、スピーカ及びマイクロホンを含み、ロビーインターホン１０及びインターホン子機３０との間で通話可能に構成されている。
【００５７】
制御部２６は、ロビーインターホン１０から制御信号（呼出信号）及び撮像部１１が撮像した画像を、第１通信部２１を介して受け取ると、呼出音の音データを、通話部２５のスピーカに出力し、受け取った画像を表示部２４に出力する。これにより、制御部２６は、通話部２５のスピーカに呼出音を出力させ、かつ第１画像を表示部２４に表示させる。
【００５８】
制御部２６は、インターホン子機３０から制御信号（呼出信号）を、第２通信部２２を介して受け取ると、通話部２５のスピーカに呼出音を出力させる。
【００５９】
制御部２６は、表示部２４が表示するボタンが押されると、当該ボタンに応じた処理を行う。例えば、図４Ａにおいて住居者がボタンＢ１１を押すと、制御部２６は、指定モードを変更する指示を、つまり抑制モードを実行しないことを設定する設定情報を、ロビーインターホン１０に送信する。また、指定モードが抑制モードを実行しないこと表している場合に住居者がボタンＢ１０を押すと、制御部２６は、抑制モードを実行することを設定する設定情報を、ロビーインターホン１０に送信する。
【００６０】
（２−３）インターホン子機
インターホン子機３０は、例えばプロセッサ及びメモリを有するマイクロコンピュータを有している。そして、プロセッサがメモリに格納されているプログラムを実行することにより、マイクロコンピュータがインターホン子機３０の機能を実現する。プロセッサが実行するプログラムは、ここではマイクロコンピュータのメモリに予め記録されているが、メモリカード等の記録媒体に記録されて提供されてもよいし、インターネット等の電気通信回線を通じて提供されてもよい。
【００６１】
インターホン子機３０は、来訪者から呼び出しのための操作を受け付けると、専有部Ｅ２内の住居者を呼び出すための制御信号（呼出信号）をインターホン親機２０に送信する。
【００６２】
インターホン子機３０は、スピーカ及びマイクロホンを含み、インターホン親機２０との間で通話可能に構成されている。
【００６３】
（３）動作
ここでは、インターホンシステム１の動作について、具体例を用いて説明する。
【００６４】
（３−１）通話時の動作
まず、通話時におけるロビーインターホン１０の動作について、図５に示す流れ図を用いて説明する。
【００６５】
ロビーインターホン１０とインターホン親機２０との間で通話が開始すると、収音部１４は、来訪者の音声を含む音を集音する（ステップＳ１）。
【００６６】
第１除去部１６２は、第１マイクロホン１４１及び第２マイクロホン１４２から受け取った音の信号に対して、エコーキャンセル処理を施す（ステップＳ２）。具体的には、第１エコーキャンセラ２０１は、第１マイクロホン１４１から受け取った音の信号に対して、エコーキャンセル処理を施す。第２エコーキャンセラ２０２は、第２マイクロホン１４２から受け取った音の信号に対して、エコーキャンセル処理を施す。
【００６７】
制御部１６は、ロビーインターホン１０の設定モードが抑制モードであるか否かを判断する（ステップＳ３）。具体的には、制御部１６は、記憶部１７が記憶している設定テーブルの設定モード項目にＯＮが格納されているか否かを判断する。
【００６８】
設定モードが抑制モードである場合には（ステップＳ３における「Ｙｅｓ」）、抑制部１６４は抑制処理を行う（ステップＳ４）。具体的には、まず、切替部１６３は、収音部１４の第１マイクロホン１４１及び第２マイクロホン１４２と抑制部１６４とを第１除去部１６２を介して接続する。抑制部１６４は、第１マイクロホン１４１が収音し、エコーキャンセル処理が施された音の第１音信号と第２マイクロホン１４２が収音し、エコーキャンセル処理が施された音の第２音信号とを用いて、正面方向Ｂ１から収音した音の出力音に対して、左側方向Ｂ３から収音した音に対する出力音を抑制する。抑制部１６４は、抑止処理を施した音の信号を第２除去部１６５に出力する。
【００６９】
設定モードが非抑制モードである場合には（ステップＳ３における「Ｎｏ」）、第１マイクロホン１４１が収音した音の信号は、第１除去部１６２を介して第２除去部１６５に出力される。
【００７０】
第２除去部１６５は、エコーキャンセル処理が施された音の信号に対してノイズキャンセル処理を施す（ステップＳ５）。
【００７１】
処理部１６６は、エコーキャンセル処理が施された音の信号をインターホン親機２０に通信部１２を介して送信する送信処理を行う（ステップＳ６）。このとき、処理部１６６は、ロビーインターホン１０に設定された設定モードに関する情報（抑制モードの設定の有無）を、通信部１２を介してインターホン親機２０に出力する。なお、処理部１６６は。通話時においては、音信号とともに、撮像部１１が撮像した画像もインターホン親機２０に送信している。
【００７２】
制御部１６は、通話が終了したか否かを判断する（ステップＳ７）。通話が終了していないと判断する場合（ステップＳ７における「Ｎｏ」）、処理はステップＳ１に戻る。通話が終了したと判断する場合（ステップＳ７における「Ｙｅｓ」）、処理が終了する。
【００７３】
以上説明したように、抑制モードが設定されている場合には収音された音は抑制処理が施され、抑制モードが設定されていない場合（非抑制モードが設定されている場合）には収音された音は抑制処理が施されない。具体的に、抑制モードが設定されている場合には、第１マイクロホン１４１が収音した音の第１音信号及び第２マイクロホン１４２が収音した音の第２音信号がそれぞれ抑制部１６４に入力される（図２Ａ参照）。第１音信号及び第２音信号を用いて、正面方向Ｂ１及び右側方向Ｂ２から入力された音と左側方向Ｂ３から入力された音が抑制された音とを含む音の音信号は、第１除去部１６２、第２除去部１６５及び処理部１６６を介して、インターホン親機２０に送信される。一方、抑制モードが設定されていない場合には、第１マイクロホン１４１が収音した音の音信号が抑制部１６４を介すことなく、第１除去部１６２に入力される（図２Ｂ参照）。その後、第１除去部１６２に入力された音信号は、第２除去部１６５及び処理部１６６を介して、インターホン親機２０に送信される。
【００７４】
（３−２）指定モードの変更の動作
ここでは、通話時において、インターホン親機２０が表示するボタンＢ１１が押された場合の動作について、図６のシーケンス図を用いて説明する。
【００７５】
ロビーインターホン１０の処理部１６６は、ステップＳ６で説明した出力処理を行い、音の信号、抑制モードの設定の有無及び撮像部１１が撮像した画像を、通信部１２を介してインターホン親機２０に出力する（ステップＳ１０，Ｓ１１）。
【００７６】
インターホン親機２０は、通話処理を行う（ステップＳ１２）。具体的には、インターホン親機２０は、ロビーインターホン１０から受け取った音の信号に基づいて音（来訪者の音声を含む）を通話部２５のスピーカから出力するとともに、表示部２４に撮像部１１が撮像した画像を表示する。このとき、表示部２４に表示される内容は、撮像部１１が撮像した画像の他、図３Ａに示すように、少なくともボタンＢ１０，Ｂ１１が表示される。ボタンＢ１０，Ｂ１１は、現時点で設定されている指定モードは抑制モードの実行を表していることを居住者が識別できるように色分けされている。
【００７７】
ボタンＢ１０，Ｂ１１が表示されている状態で、ボタンＢ１１が押されると、抑制モードを実行しないことを設定する設定情報を受け付け、当該設定情報をロビーインターホン１０に送信する（ステップＳ１３，Ｓ１４）。
【００７８】
ロビーインターホン１０の設定部１６１は、設定情報を受け付けると、設定情報に基づいて指定モードを設定する（ステップＳ１５）。この場合、設定部１６１は、抑制モードを実行しないこと表す指定モードを設定テーブルに設定する。
【００７９】
ロビーインターホン１０の処理部１６６は、来訪者の音声を含む音が入力されると、再度出力処理を行い、音の信号、抑制モードの設定の有無及び撮像部１１が撮像した画像を、通信部１２を介してインターホン親機２０に出力する（ステップＳ１６，Ｓ１７）。
【００８０】
インターホン親機２０は、通話処理を行う（ステップＳ１８）。この場合、ボタンＢ１０，Ｂ１１は、現時点で設定されている指定モードは抑制モードの非実行を表していることを居住者が識別できるように色分けされている。
【００８１】
本実施形態において、指定モードが変更されると、次の設定情報を受け付けるまでの間は、変更された指定モードの内容が有効となっている。つまり、ある来訪者との通話時に指定モードを変更した場合には、次の別の来訪者との通話においても変更後の指定モードの内容に応じて抑制部１６４を介した通話又は抑制部１６４を介さない通話が行われる。
【００８２】
（４）利点
本実施形態では、抑制モードを設定することで、正面方向Ｂ１から入力される音の出力音に対して、正面方向Ｂ１とは異なる方向（例えば左側方向Ｂ３）から入力される音に対する出力音を抑制する。これにより、正面方向Ｂ１から入力される音の出力音が明瞭になるので、インターホン親機２０の操作者（居住者）は、来訪者の音声を聞き取りやすくなる。
【００８３】
また、専有部Ｅ２ごとに、抑制モードの実行の有無を個別に設定することができるので、居住者の音の聞き取り状態に応じた設定が可能となる。
【００８４】
（変形例）
以下に、変形例について列記する。なお、以下に説明する変形例は、上記各実施形態と適宜組み合わせて適用可能である。
【００８５】
実施形態において、ロビーインターホン１０（筐体１０Ａ）が設置された状態における筐体１０Ａの正面方向を第１方向として予め設定されている構成としたが、この構成に限定されない。設定部１６１は、第１方向としての方向に係る方向情報を、ロビーインターホン１０（筐体１０Ａ）の設置時に受け付け、方向情報が表す第１方向を記憶部１７に設定（記憶）してもよい。設定部１６１（制御部１６）は、第１方向及び第２方向のうち少なくとも一方に係る方向情報を受け取ると、方向情報を基に、対応する方向（第１方向又は第２方向）を設定する。ここで、第１方向として筐体１０Ａの正面方向を指定することに限定されない。設定部１６１は、正面方向を基準として第１角度を受け付け、当該第１角度に応じた方向を第１方向として設定してもよい。また、設定部１６１は、第２方向においても同様に、正面方向を基準として第２角度を受け付け、当該第２角度に応じた方向を第２方向として設定してもよい。
【００８６】
実施形態において、撮像部１１の撮像方向はロビーインターホン１０の正面方向に限定されない。例えば、撮像部１１の撮像方向はロビーインターホン１０の正面方向と一致しなくてもよい。この場合、第１方向は、撮像部１１の撮像方向と一致する方向であってもよい。
【００８７】
実施形態において、設定部１６１は、撮像部１１が撮像した画像を用いて、第１方向及び第２方向を設定してもよい。この場合、例えば撮像部１１は、撮像した画像に含まれる人を追尾する追尾機能を有している。撮像部１１は、追尾機能を用いて、画像に含まれる人（例えば、来訪者）が画像の中心に位置するように、来訪者を追尾する、つまり撮像部１１の撮像方向（撮像部１１が有するレンズの光軸の方向）を変更する。設定部１６１は、撮像部１１の撮像方向を第１方向として設定する。設定部１６１は、設定した第１方向を基準として、第１方向に対して左側に直交する方向及び右側に直交する方向のうち少なくとも一方の方向を第２方向として設定する。これにより、来訪者の立ち位置により第１方向及び第２方向を変更（補正）することができる。なお、設定部１６１は、画像を用いて第１方向及び第２方向の双方を設定してもよいし、第１方向及び第２方向のうち一方を設定してもよい。要は、設定部１６１は、画像を用いて第１方向及び第２方向のうち少なくとも一方を設定してもよい。
【００８８】
実施形態において、設定部１６１は、第２方向から入力された音（抑制対象の音）に対して抑制する割合を表す割合情報を受け付け、受け付けた割合情報が表す割合を設定（記憶）してもよい。この場合、抑制部１６４は、抑制の対象となる入力音を受け付けたときの音の強度を基準とし、設定された割合の強度を減じる。
【００８９】
実施形態において、設定テーブルは、記憶部１７が記憶する構成としたが、この構成に限定されない。設定テーブルは、制御装置４０が記憶してもよい。ロビーインターホン１０の制御部１６は、呼出時に、自機（ロビーインターホン１０）に対して抑制モードの設定の有無、及び抑制モードが設定されている場合には呼出対象の専有部Ｅ２に対する指定モードの内容を制御装置４０から受け取る。
【００９０】
実施形態において、設定テーブルに含まれる指定モードは、対応する専有部Ｅ２のインターホン親機２０が記憶してもよい。この場合、ロビーインターホン１０の制御部１６は、自機（ロビーインターホン１０）に対して抑制モードの設定が設定されている場合には、呼出時に呼出対象の専有部Ｅ２に対する指定モードの内容を制御装置４０から受け取る。
【００９１】
実施形態において、施設５は、複数の共用部Ｅ１を設けてもよい。この場合、共用部Ｅ１ごとに、ロビーインターホン１０が設置される。この場合、設定テーブルは、ロビーインターホン１０ごとに記憶されてもよい。または、制御装置４０が複数のロビーインターホン１０の設定テーブルを一括して記憶してもよい。または、インターホン親機２０が、ロビーインターホン１０の各々の設定モードに対する指定モードを記憶してもよい。
【００９２】
実施形態において、ロビーインターホン１０とインターホン親機２０との間の通話において、第２方向の出力音の抑制を行う構成としたが、これに限定されない。インターホン親機２０とインターホン子機３０との間の通話において、第２方向の出力音の抑制を行ってもよい。この場合、インターホン子機３０に対して、抑制モード及び非抑制モードのうち一方のモードが設定される。この場合、インターホン子機３０に抑止モードが設定されると、インターホン子機３０は、第２方向からの入力音に対する出力音の抑制を行う。また、インターホン親機２０は、インターホン子機３０に抑止モードが設定されている場合において、抑制モードを実行するか否かの指定モードを設定してもよい。これにより、インターホン親機２０とインターホン子機３０との間の通話においても、来訪者の音声を聞き取りやすくなる。
【００９３】
本実施形態では、インターホンシステム１が集合住宅に用いられる場合を例として説明したが、実施例はこれに限定されない。インターホン子機３０に対して、抑制モード及び非抑制モードのうち一方のモードが設定される場合には、インターホン親機２０とインターホン子機３０とを備えるインターホンシステムとして住戸用に用いられてもよい。
【００９４】
実施形態において、指定モードが変更されると、次の設定情報を受け付けるまでの間は、変更された指定モードの内容が有効となる構成としたが、この構成に限定されない。設定部１６１は、インターホン親機２０との通話が終了する度に、当該インターホン親機２０に対する指定モードを初期状態に戻してもよい。
【００９５】
実施形態において、収音部１４は、複数の無向性のマイクロホンを有する構成としたが、この構成に限定されない。収音部１４は、複数の指向性のマイクロホンを有し、収音する範囲を分担してもよい。この場合、抑制部１６４は、第２方向からの音を収音するマイクロホンからの入力音に対して出力音を抑制する。
【００９６】
実施形態において、制御装置４０とインターホン親機２０との間の通信、及びインターホン親機２０とインターホン子機３０との間の通信は、無線通信であってもよい。また、制御装置４０とインターホン親機２０との間の通信、及びインターホン親機２０とインターホン子機３０との間の通信が無線通信である場合、インターホンシステム１は、情報端末として、インターホン親機２０を用いる代わりに携帯電話、スマートフォン、タブレット端末等を用いる構成としてもよい。
【００９７】
上記実施形態は、本開示の様々な実施形態の一つに過ぎない。上記各実施形態は、本開示の目的を達成できれば、設計等に応じて種々の変更が可能である。また、ロビーインターホン１０（インターホン装置）と同様の機能は、処理方法、コンピュータプログラム、又はプログラムを記録した記録媒体等で具現化されてもよい。一態様に係るロビーインターホン装置（ロビーインターホン１０）の処理方法は、複数の専有部、共用部を有する施設５において共用部に設けられるインターホン装置で用いられる。処理方法は、収音ステップと、制御ステップとを含む。収音ステップは、筐体１０Ａに設けられた収音部が音を収音する。制御ステップは、収音ステップが収音した音に対する出力を制御する。制御ステップは、筐体１０Ａが設置された状態において、第１方向からの入力音に対する第１出力音に対して第１方向とは異なる第２方向からの入力音に対する第２出力音を抑制して出力する抑制モードに基づいて、収音ステップが収音した音に対する出力を制御する。一態様に係るプログラムは、コンピュータシステムを、上述したインターホン装置又はインターホン装置の処理方法として機能させるためのプログラムである。
【００９８】
本開示におけるロビーインターホン１０（インターホン装置）又はインターホン装置の処理方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示におけるインターホン装置又はインターホン装置の処理方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００９９】
また、情報端末としてのインターホン親機２０と同様の機能は、処理方法、コンピュータプログラム、又はプログラムを記録した記録媒体等で具現化されてもよい。一態様に係る情報端末の処理方法は、インターホン装置（ロビーインターホン１０）と通信を行う情報端末で用いられる。処理方法は、抑制モードの実行の有無を設定するための設定情報を送信する通信ステップを含む。一態様に係るプログラムは、コンピュータシステムを、上述した情報端末として機能させるためのプログラムである。
【０１００】
本開示における情報端末としてのインターホン親機２０又は情報端末の処理方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における情報端末又は情報端末の処理方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０１】
（まとめ）
以上説明したように、第１の態様のインターホン装置（例えば、ロビーインターホン１０）は、筐体（１０Ａ）と、筐体（１０Ａ）に設けられた収音部（１４）と、収音部（１４）に入力された音に対する出力を制御する制御部（１６）とを備える。制御部（１６）は、筐体（１０Ａ）が設置された状態において、第１方向からの入力音に対する第１出力音に対して第１方向とは異なる第２方向からの入力音に対する第２出力音を抑制して出力する抑制モードを有する。
【０１０２】
この構成によると、インターホン装置は、抑制モードが設定されると、第１方向から入力される音の出力音に対して、第２方向から入力される音に対する出力音を抑制する。これにより、インターホン装置は、第１方向から入力される音の出力音を明瞭にして出力する。したがって、インターホン装置から出力された音（来訪者の音声を含む）の聞き手（例えば、住居者）は、インターホン装置から出力された音（来訪者の音声を含む）を聞き取りやすくなる。
【０１０３】
第２の態様のインターホン装置では、第１の態様において、第１方向は、筐体（１０Ａ）が設置された状態における筐体（１０Ａ）の正面方向（Ｂ１）である。第２方向は、正面方向（Ｂ１）に対して右側方向（Ｂ２）及び左側方向（Ｂ３）のうち少なくとも一方である。
【０１０４】
この構成によると、インターホン装置は、正面方向（Ｂ１）から入力される音の出力音を明瞭にして出力する。インターホン装置の操作者は、通常、筐体（１０Ａ）の正面に立って操作を行う。そのため、インターホン装置の操作者からの音声は正面方向からインターホン装置に入力される。そのため、正面方向（Ｂ１）から入力される音の出力音を明瞭することで、インターホン装置から出力された音の聞き手（例えば、住居者）は、インターホン装置から出力された音に含まれるインターホン装置の操作者（来訪者）の音声を聞き取りやすくなる。
【０１０５】
第３の態様のインターホン装置では、第１の態様において、撮像部（１１）を、さらに備える。制御部（１６）は、撮像部（１１）が撮像した画像に基づいて、第１方向及び第２方向のうち少なくとも一方を設定する。
【０１０６】
この構成によると、画像を用いて第１方向及び第２方向のうち少なくとも一方の設定が可能となる。
【０１０７】
第４の態様のインターホン装置は、第１〜第３のいずれかの態様において、抑制モードの実行の有無を設定する設定部（１６１）を、さらに備える。
【０１０８】
この構成によると、インターホン装置に対して、抑制モードの実行の有無を設定することが可能となる。
【０１０９】
第５の態様のインターホン装置では、第４の態様において、設定部（１６１）は、情報端末（例えば、インターホン親機２０）から受け取った入力情報（例えば設定情報）を基に、抑制モードの実行の有無を設定する。
【０１１０】
この構成によると、情報端末を用いて抑制モードの実行の有無の設定が可能となる。
【０１１１】
第６の態様のインターホン装置では、第１〜第５のいずれかの態様において、制御部（１６）は、第１方向及び第２方向のうち少なくとも一方に係る方向情報を受け取ると、方向情報を基に、対応する方向を設定する。
【０１１２】
この構成によると、方向情報を基に、第１方向及び第２方向のうち少なくとも一方の設定が可能となる。
【０１１３】
第７の態様のインターホン装置では、第１〜第６のいずれかの態様において、制御部（１６）は、第２方向からの入力音に対する第２出力音の抑制の割合に係る割合情報を受け取る。制御部（１６）は、割合情報を基に、第２方向からの入力音に対する第２出力音の抑制の割合を設定する。
【０１１４】
この構成によると、第２出力音の抑制の割合を設定することが可能となる。
【０１１５】
第８の態様のインターホン装置では、第１〜第７のいずれかの態様において、収音部（１４）は、複数のマイクロホン（第１マイクロホン１４１、第２マイクロホン１４２）を有している。制御部（１６）は、抑制モードが設定されている場合には、複数のマイクロホンで集音した音を基に、第２方向からの入力音に対する第２出力音を抑制する。
【０１１６】
この構成によると、複数のマイクロホンを用いて第２方向からの入力音に対する第２出力音を抑制することができる。
【０１１７】
第９の態様のインターホン装置では、第１〜第８のいずれかの態様において、制御部（１６）は、第２方向からの入力音に対する第２出力音を抑制する抑制部（１６４）を有している。制御部（１６）は、抑制モードが設定されている場合には、収音部（１４）が収音した音を、抑制部（１６４）を介して出力音として出力する。制御部（１６）は、抑制モードと異なるモードが設定されている場合には、収音部（１４）が収音した音を、抑制部（１６４）を介すことなく出力音として出力する。
【０１１８】
この構成によると、設定されたモードに応じて、収音した音が抑制部（１６４）を介するか否かを制御することができる。
【０１１９】
第１０の態様のインターホン装置は、第１〜第９いずれかの態様において、抑制モードの設定の有無を情報端末に送信する通信部（１２）を、さらに備える。
【０１２０】
この構成によると、情報端末は、抑制モードの設定の有無について認識することができる。
【０１２１】
第１１の態様のインターホンシステム（１）は、第１〜第１０いずれかの態様のインターホン装置（例えばロビーインターホン１０）と、インターホン装置と通信する情報端末（例えばインターホン親機２０）とを備える。
【０１２２】
この構成によると、インターホン装置から出力された音（来訪者の音声を含む）の聞き手、つまり情報端末の操作者は、インターホン装置から出力された音に含まれる来訪者の音声を聞き取りやすくなる。
【０１２３】
第１２の態様の情報端末（例えばインターホン親機２０）は、第１〜第１０いずれかの態様のインターホン装置（例えばロビーインターホン１０）と通信を行う。情報端末は、抑制モードの実行の有無を設定するための設定情報を送信する通信部（例えば第１通信部２１）を有する。
【０１２４】
この構成によると、抑制モードの実行の有無の設定が可能となる。そのため、抑制モードを実行する旨の設定が行われると、インターホン装置から出力された音（来訪者の音声を含む）の聞き手、つまり情報端末の操作者は、インターホン装置から出力された音に含まれる来訪者の音声を聞き取りやすくなる。
【０１２５】
第１３の態様の情報端末では、第１２の態様において、通信部は、インターホン装置において抑制モードが設定されている場合に、設定情報を送信するように構成されている。
【０１２６】
この構成によると、インターホン装置において抑制モードが設定されている場合に、情報端末は、抑制モードの実行の有無を個別に設定することができる。
【０１２７】
第１４の態様の処理方法は、第１〜第１０のいずれかの態様のインターホン装置（例えばロビーインターホン１０）と通信を行う情報端末（例えばインターホン親機２０）で用いられる。処理方法は、抑制モードの実行の有無を設定するための設定情報を送信する通信ステップを含む。
【０１２８】
この処理方法によると、インターホン装置から出力された音（来訪者の音声を含む）の聞き手、つまり情報端末の操作者は、インターホン装置から出力された音に含まれる来訪者の音声を聞き取りやすくなる。
【０１２９】
第１５の態様のプログラムは、第１〜第１０のいずれかの態様のインターホン装置（例えばロビーインターホン１０）と通信を行う情報端末（例えばインターホン親機２０）で用いられる。プログラムは、コンピュータに、抑制モードの実行の有無を設定するための設定情報を送信する通信処理を実行させる。
【０１３０】
このプログラムによると、インターホン装置から出力された音声の聞き手、つまり情報端末の操作者は、インターホン装置から出力された音声（来訪者の音声）を聞き取りやすくなる。
【符号の説明】
【０１３１】
１    インターホンシステム
１０    ロビーインターホン（インターホン装置）
１０Ａ    筐体
１１    撮像部
１２    通信部
１４    収音部
１６    制御部
２０    インターホン親機（情報端末）
２１    第１通信部（通信部）
３０    インターホン子機（インターホン装置）
１４１    第１マイクロホン
１４２    第２マイクロホン
１６１    設定部
１６４    抑制部
Ｂ１    正面方向（第１方向）
Ｂ２    右側方向（第２方向）
Ｂ３    左側方向（第２方向）
【図１】
2019186649.tif 000004
【図２】
2019186649.tif 000005
【図３】
2019186649.tif 000006
【図４】
2019186649.tif 000007
【図５】
2019186649.tif 000008
【図６】
2019186649.tif 000009